(57)【要約】本発明は、送信機と受信機の間のデータパケットの送信方法に関し、前記受信機は、エラーのないデータパケットが受信されると、肯定応答メッセージを送信機に送信するように構成され、前記受信機は、エラーのあるデータパケットが受信されると、否定応答メッセージを送信機に送信するように構成され、前記受信機は、受信機から否定応答メッセージが送信されたにもかかわらず、該当するデータパケットの繰り返し送信が行われないと、データパケットの繰り返し送信を要求する繰り返しメッセージを送信機に送信するように構成され、前記送信機は、送信機が否定応答メッセージ又は繰り返しメッセージを受信すると常に、データパケットの繰り返し送信をするように構成される。
2004535136.tif 000002
【特許請求の範囲】
【請求項１】
送信機と受信機の間でデータパケットを送信する方法であって、
前記受信機は、エラーのないデータパケットが受信されると、肯定応答メッセージを前記送信機に送信するように構成され、
前記受信機は、エラーのあるデータパケットが受信されると、否定応答メッセージを前記送信機に送信するように構成され、
前記受信機は、前記受信機から否定応答メッセージが送信されたにもかかわらず、該当するデータパケットの繰り返し送信が行われないと、データパケットの繰り返し送信を要求する繰り返しメッセージを前記送信機に送信するように構成され、
前記送信機は、前記送信機が否定応答メッセージ又は繰り返しメッセージを受信すると常に、データパケットの前記繰り返し送信をするように構成される方法。
【請求項２】
請求項１に記載の方法であって、
前記送信機が肯定応答メッセージを受信したデータパケットを、更なる送信期間の間、前記送信機が一時ストレージに入れることを特徴とし、
送信期間は、データパケットの前記送信と、肯定又は否定応答メッセージ又は繰り返しメッセージの前記受信との間の時間である方法。
【請求項３】
請求項１に記載の方法であって、
前記送信機によって送信された前記データパケットが、繰り返し送信と最初の送信との間を識別するための連続番号を有することを特徴とする方法。
【請求項４】
請求項３に記載の方法であって、
前記受信機によって送信された前記肯定及び否定応答メッセージが、繰り返し送信と最初の送信との間を識別するために、前記連続番号を有することを特徴とする方法。
【請求項５】
請求項１に記載の方法であって、
Ｎ個の時間スロットを備える周期的に繰り返す時間フレームが提供されることを特徴とし、
前記時間フレームの時間スロットがそれぞれ、１つのデータパケットの送信のために予約される方法。
【請求項６】
請求項１に記載の方法であって、
前記受信機が、否定応答メッセージを送信し、その後に予期されていないデータパケットを受信した後に、それにもかかわらず後者を一時ストレージに入れることを特徴とする方法。
【請求項７】
請求項１に記載の方法であって、
前記受信機が、肯定応答メッセージを送信し、その後に予期されていないデータパケットを受信した後に、後者を一時ストレージに入れないことを特徴とする方法。
【請求項８】
請求項１に記載の方法であって、
前記受信機がデータパケットの繰り返し送信を要求し、予期されていないデータパケットの肯定応答を行う第１の繰り返しメッセージを送信するように構成され、
前記受信機がデータパケットの繰り返し送信を要求し、予期されていないデータパケットの否定応答を行う第２の繰り返しメッセージを送信するように構成されることを特徴とする方法。
【請求項９】
送信機と、受信機と、送信機と受信機の間のデータパケットを送信する手段とを有するデータ送信システムであって、
前記受信機は、エラーのないデータパケットが受信されると、肯定応答メッセージを前記送信機に送信するように構成され、
前記受信機は、エラーのあるデータパケットが受信されると、否定応答メッセージを前記送信機に送信するように構成され、
前記受信機は、前記受信機から否定応答メッセージが送信されたにもかかわらず、該当するデータパケットの繰り返し送信が行われないと、データパケットの繰り返し送信を要求する繰り返しメッセージを前記送信機に送信するように構成され、
前記送信機は、前記送信機が否定応答メッセージ又は繰り返しメッセージを受信すると常に、データパケットの前記繰り返し送信をするように構成されるシステム。
【請求項１０】
送信機と受信機の間でデータパケットを送信する方法であって、
前記受信機は、エラーのないデータパケットが受信されると、肯定応答メッセージを前記送信機に送信するように構成され、
前記受信機は、エラーのあるデータパケットが受信されると、否定応答メッセージを前記送信機に送信するように構成され、
前記肯定及び前記否定応答メッセージを送信するために第１の拡散コードが提供され、
前記否定応答メッセージのための追加の冗長度を送信するために第２の拡散コードが提供される方法。
【請求項１１】
送信機と受信機の間でデータパケットを送信する方法であって、
前記受信機は、エラーのないデータパケットが受信されると、肯定応答メッセージを前記送信機に送信するように構成され、
前記受信機は、エラーのあるデータパケットが受信されると、否定応答メッセージを前記送信機に送信するように構成され、
前記受信機は、前記受信機から否定応答メッセージが送信されたにもかかわらず、該当するデータパケットの繰り返し送信が行われないと、データパケットの繰り返し送信を要求する繰り返しメッセージを前記送信機に送信するように構成され、
前記肯定及び前記否定応答メッセージと前記繰り返しメッセージを送信するために第１の拡散コードが提供され、
前記否定応答メッセージ及び／又は前記繰り返しメッセージのための追加の冗長度を送信するために第２の拡散コードが提供される方法。
【請求項１２】
受信機にデータパケットを送信する送信機であって、
前記送信機は、前記送信機が受信機から否定応答メッセージ又は繰り返しメッセージを受信すると常に、データパケットの前記繰り返し送信をするように構成される送信機。
【請求項１３】
送信機についてのデータパケットを受信する受信機であって、
前記受信機は、エラーのないデータパケットが受信されると、肯定応答メッセージを前記送信機に送信するように構成され、
前記受信機は、エラーのあるデータパケットが受信されると、否定応答メッセージを前記送信機に送信するように構成され、
前記受信機は、前記受信機から否定応答メッセージが送信されたにもかかわらず、該当するデータパケットの繰り返し送信が行われないと、データパケットの繰り返し送信を要求する繰り返しメッセージを前記送信機に送信するように構成される受信機。
【発明の詳細な説明】
【０００１】
本発明は送信機と受信機との間でデータパケットを送信する方法に関する。
【０００２】
前記の方法は、例えば、“2001年4月5日から6日にSophia  Antipolisで行われたHSDPAについての3GPP  TSG  RAN  WG1&WG2のミーティングによるLucent  TechnologyのTdoc12A010024,  HS-DSCHの信号とタイミングの検討（Signaling  and  Timing  Considerations  for  HS-DSCH）”の文献から周知である。
【０００３】
前記周知の方法において、受信機がエラーのないデータパケットを受信すると、送信機に肯定応答メッセージを送信し、エラーのあるデータパケットを受信すると、送信機に否定応答メッセージを送信する。
【０００４】
送信機が肯定応答メッセージを受信すると、新しいデータパケットを送信することによって続く。
【０００５】
送信機が否定応答メッセージを受信すると、該当するデータパケットをもう一度送信する。
【０００６】
送信機が受信機によって送信された否定応答メッセージを誤って肯定応答メッセージと解釈し、それ故に新しいデータパケットを送信することによって続くと、受信機によってエラーを備えて受信されたデータパケットの情報と否定応答メッセージの主部が、誤って送信機に肯定応答メッセージとして解釈され、欠落する。
【０００７】
このために、改善されたエラー処理とデータ送信システムとを有する方法を提供することが本発明の目的である。
【０００８】
本方法について、本目的は、送信機と受信機の間でデータパケットを送信する方法を用いて達せられ、
前記受信機は、エラーのないデータパケットが受信されると、肯定応答メッセージを送信機に送信するように構成され、
前記受信機は、エラーのあるデータパケットが受信されると、否定応答メッセージを送信機に送信するように構成され、
前記受信機は、受信機から否定応答メッセージが送信されたにもかかわらず、該当するデータパケットの繰り返し送信が行われないと、データパケットの繰り返し送信を要求する繰り返しメッセージを送信機に送信するように構成され、
前記送信機は、送信機が否定応答メッセージ又は繰り返しメッセージを受信すると常に、データパケットの繰り返し送信をするように構成される。
【０００９】
本発明は、受信機によって送信された否定応答メッセージが送信経路で肯定応答メッセージに変形される場合、又は送信機により肯定応答メッセージとして誤って解釈された場合に、該当するデータパケットの新たな送信の可能性を提供するという考えに基づく。
【００１０】
受信機によって否定応答メッセージが送信されたにもかかわらず、該当するデータパケットの新たな送信が行われず、誤って受信されたデータパケットの望ましい繰り返し送信の代わりに新しいデータパケットを送信機が送信すると、受信機が繰り返しメッセージを送信機に送信することが、このために提供される。
【００１１】
否定応答メッセージは、現在の送信期間のデータパケットをもう一度送信することを送信機に通知するが、繰り返しメッセージは、以前の送信期間のデータパケットをもう一度送信することを送信機に通知する。
【００１２】
前記送信期間は、データパケットの送信と、肯定又は否定応答メッセージ又は繰り返しメッセージの受信との間の時間とみなされる。
【００１３】
請求項２に記載の本発明の有利な実施例において、送信機が肯定応答メッセージを受信したデータパケットは、少なくとも１つの更なる送信期間の間、送信機によって中間ストレージに入れられる。肯定応答メッセージの受信は、送信機が受信された応答信号を肯定応答信号と解釈したことを意味することがわかる。対応するデータパケットは、後の送信期間中メモリに存在し、繰り返しメッセージを受信すると、送信機によって問題なくもう一度送信し得る。
【００１４】
請求項３に記載の本発明の有利な実施例において、データパケットはそれぞれ、連続番号を備えて送信される。好ましくは、１ビットの連続番号である。送信機が送信されたデータパケットに対して肯定応答メッセージを受信すると常に、連続番号を変更する。変更された連続番号を備えた新しいデータパケットが肯定応答メッセージの受信後に送信される。
【００１５】
このことは、受信機がデータパケットの最初の送信とデータパケットの繰り返し送信との間を識別することを可能にする。
【００１６】
請求項４に記載の本発明の有利な実施例において、肯定及び否定応答メッセージもまた、連続番号を有する。
【００１７】
請求項５に記載の本発明の有利な実施例において、データパケットを送信するために時間フレーム構造が提供される。前記時間フレーム構造は、１つ又はいくつかの時間フレームを有し得る。時間フレームはＮ個の時間スロットを有し、各時間スロットは、１つのデータパケットの送信のために予約される。時間フレームは、１つの送信機と１つの受信機との間のデータパケットの送信のために予約される。前記時間フレームは、好ましくは所定の所要時間繰り返される。例えば、２つの時間フレームが提供される場合、第１の時間フレームは第１の送信機と第１の受信機との間の送信に使用され、第２の時間フレームは第１の送信機と第２の受信機との間の送信、又は第２の受信機と第１の送信機との間の送信に使用され得る。
【００１８】
送信機と受信機との双方に時間フレーム構造が実現され、その結果、同期される。このことは、肯定及び否定応答メッセージと繰り返しメッセージとが、時間フレームの各時間スロットにおいて送信されることを意味する。
【００１９】
請求項６に記載の本発明の有利な実施例は、否定応答メッセージが誤って肯定応答メッセージに変換された場合に関する。
【００２０】
否定応答メッセージを送信した後、その結果、受信機は以前に誤って受信されたデータパケットの予期された繰り返しを受信せず、新しい予期されていないデータパケットを最初に受信する。後者は、前記予期されていないデータパケットの繰り返し送信が不必要に行われないように、中間ストレージに入れられる。
【００２１】
請求項７に記載の本発明の有利な実施例は、肯定応答メッセージが誤って否定応答メッセージに変換された場合に関する。
【００２２】
肯定応答メッセージを送信した後、その結果、受信機は新しいデータパケットの予期された最初の送信を受信せず、以前に正しく受信されたデータパケットの繰り返し送信を受信する。このパケットは既に受信機に存在するため、それは受け付けられず、メモリに入れられない。
【００２３】
請求項８に記載の本発明の有利な実施例は、２つの異なる繰り返しメッセージが提供される。第１と第２の繰り返しメッセージは、１ビットのコードを用いて行われ得る。
【００２４】
以前の送信期間にエラーのあるデータパケットが受信され、その結果否定応答メッセージを送信すると常に、第１の繰り返しメッセージが受信機によって送信されるが、送信機が前記データパケットをもう一度送信するのではなく、新しい、すなわち予期されていないデータパケットを送信し、そのパケットが受信機により正しく受信される。同時に、受信機は、その予期されていないデータパケットの肯定応答メッセージを送信機に送信する。
【００２５】
以前の送信期間にエラーのあるデータパケットが受信され、その結果否定応答メッセージを送信すると常に、第２の繰り返しメッセージが受信機によって送信されるが、送信機が前記データパケットをもう一度送信するのではなく、新しい、すなわち予期されていないデータパケットを送信し、そのパケットが受信機によりエラーを備えて受信される。同時に、受信機は、その予期されていないデータパケットの否定応答メッセージを送信機に送信する。
【００２６】
データ送信システムに関して、送信機と、受信機と、送信機と受信機の間のデータパケットを送信する手段とによって本発明の目的が達せられ、
前記受信機は、エラーのないデータパケットが受信されると、肯定応答メッセージを送信機に送信するように構成され、
前記受信機は、エラーのあるデータパケットが受信されると、否定応答メッセージを送信機に送信するように構成され、
前記受信機は、受信機から否定応答メッセージが送信されたにもかかわらず、該当するデータパケットの繰り返し送信が行われないと、データパケットの繰り返し送信を要求する繰り返しメッセージを送信機に送信するように構成され、
前記送信機は、送信機が否定応答メッセージ又は繰り返しメッセージを受信すると常に、データパケットの繰り返し送信をするように構成される。
【００２７】
本発明の実施例が、図面を参照して更に詳細に説明される。
【００２８】
図１は、送信機Ｓと受信機Ｅ１との間のデータ送信の時間系列を図式的に示したものである。送信機Ｓは、例えば移動電話網の基地局である場合があり、受信機Ｅ１は、移動局又は前記移動電話網の端末である場合がある。時分割システム（TDMA：時分割多重接続方式）に類似する時間フレーム構造が、送信機と受信機との間のデータパケットの送信のために提供される。４つの連続した時間スロットと４つのチャネルが、時間フレーム構造内での送信機Ｓと受信機Ｅ１との間の送信のために提供される。それぞれの４つの連続した時間スロットの後に、送信機Ｓと更なる受信機Ｅ２、Ｅ３、．．．（例えば図示されていない他の移動局）との間の送信に予約される時間フェーズが続く。前記時間フェーズは、送信機Ｓと受信機Ｅ１との間の送信のために提供された時間フェーズと同じ方法で利用され得るため、これ以上説明は行われない。
【００２９】
図１に示すデータ送信は、時間スロット０、１、２、３を含む第１の時間スロットを有する。各時間スロット０から３は、対応するデータパケットPDU0からPDU3（PDU：パケットデータ単位）の送信のために予約される。すなわち、データパケットPDU0は時間スロット０に送信され、データパケットPDU1は時間スロット１に送信され、データパケットPDU2は時間スロット２に送信され、データパケットPDU3は時間スロット３に送信される。データパケットは、それぞれ１ビットの連続番号を備えて送信される。前記１ビットの連続番号により、受信機がデータパケットの最初の送信と、データパケットの繰り返し送信との間を識別することが可能になる。データパケットPDU0からPDU3は、実施例の各時間において連続番号０と組み合わせて送信される。
【００３０】
受信機Ｅ１は、入力データパケットがエラーを備えて受信されたか、エラーを備えずに受信されたかどうかをテストする。受信機Ｅ１がエラーのないデータパケットを受信した場合、肯定応答メッセージＡを送信機Ｓに送信する。受信機がエラーのあるデータパケットを受信した場合、否定応答メッセージＮを送信機Ｓに送信する。
【００３１】
時間を移動して肯定及び否定応答メッセージの送信が、図示されていない時間スロットでも同様に行われる。データパケットと関連する肯定及び否定応答メッセージとの送信／受信に関して、送信機と受信機が同期して動作する。
【００３２】
時間スロット０、１、２、３の次に時間フェーズ２０があり、それは送信機Ｓと更なる受信機Ｅ２、Ｅ３、．．．との間のデータ送信のために予約される。送信機Ｓは、前記時間フェーズ２０の間に、受信機Ｅ１から肯定又は否定応答メッセージを受信する。
【００３３】
実施例において、受信機Ｅ１はエラーのあるデータパケットPDU0と、エラーのないデータパケットPDU1からPDU3を受信する。従って、受信機Ｅ１は、送信機ＳにデータパケットPDU0に対する否定応答メッセージＮを返信し、データパケットPDU1からPDU3に対する肯定応答メッセージＡを返信する。否定応答メッセージＮの送信において送信エラーが生じ、送信機Ｓが受信機Ｅ１によって送信された否定応答メッセージＮを肯定応答メッセージＡとして誤って解釈する結果を生じる。データパケットPDU1からPDU3に応じて送信された肯定応答メッセージＡは、正しく送信機Ｓに受信される。
【００３４】
送信機Ｓは、全てのデータパケットPDU0からPDU3がエラーなしで受信機Ｅ１に到達したと仮定する。従って、その後の時間スロット４から７で、新しいデータパケットPDU4からPDU7を受信機E1に送信する。
【００３５】
データパケットPDU4からPDU7は、最初に送信された新しいデータパケットであるため、送信機Ｓは、各データパケットと共に送信される連続番号を変更する。PDU0から3が以前の送信フェーズにおいて連続番号０で送信されているため、データパケットPDU4からPDU7は、受信機Ｅ１に連続番号１で送信する。
【００３６】
それにもかかわらず、肯定応答メッセージの誤った解釈の場合にデータパケットPDU0からPDU3の繰り返し送信が可能であることを確実にするために、送信機ＳがデータパケットPDU0からPDU3を更なる送信期間のために保存する。前記送信期間は、データパケットの送信と、肯定又は否定応答メッセージ又は繰り返しメッセージの受信との間の時間であることがわかる。
【００３７】
新しいデータパケットPDU4からPDU7は正しく受信機Ｅ１に受信される。しかし、以前の送信期間においてPDU0が誤って受信され、それに応じて否定応答メッセージが送信されているため、受信機Ｅ１はデータパケットPDU4の最初の送信ではなく、データパケットPDU0の繰り返し送信を予期する。受信機Ｅ１は、データパケットPDU4がデータパケットPDU4の最初の送信であり、データパケットPDU0の繰り返し送信でないことを連続番号１から認知する。その理由は、繰り返し送信の場合、データパケットPDU0は連続番号０を備えて送信されるからである。データパケットPDU0の新たな送信を要求するため、受信機Ｅ１は繰り返しメッセージＲＡを送信機Ｓに送信する。データパケットPDU0がその時に欠けているため、より上位のレイヤに正しい並びで連続した順番にデータパケットを供給できるように、エラーなく受信されたデータパケットPDU4からPDU7は受信機Ｅ１によって一時ストレージに入れられる。
【００３８】
２つの異なる繰り返しメッセージが前記データ送信システムに提供される。第１の繰り返しメッセージは、予期されていないデータパケットの肯定応答のための、及び予期されたデータパケットの新たな送信を要求するための信号ＲＡ（逆肯定応答）である。第２の繰り返しメッセージは、予期されていないデータパケットの否定応答のための、及び予期されたデータパケットの新たな送信を要求するための信号ＲＮ（逆否定応答）である。
【００３９】
現在の例において、データパケットPDU4は受信機Ｅ１によって予期されていないが、エラーなしで受信される。その結果、受信機Ｅ１は、受信されたデータパケットPDU4に応じて信号ＲＡを送信し、以前のデータパケットPDU0の繰り返し送信を要求することと、データパケットPDU4がエラーなしで受信されたことを通知する。
【００４０】
データパケットPDU5からPDU7はエラーなしで受信機Ｅ１によって受信され、その結果、前記データパケットPDU5からPDU7の肯定応答メッセージＡが送信機Ｓに送信される。
【００４１】
時間スロット４、５、６、７の次に時間フェーズ２１があり、それは送信機Ｓと更なる受信機Ｅ２、Ｅ３、．．．との間のデータ送信のために予約される。送信機Ｓは、前記時間フェーズ２１の間に、受信機Ｅ１からデータパケットPDU5から7の肯定応答メッセージＡと、データパケットPDU0からPDU4の繰り返しメッセージＲＡとを受信する。
【００４２】
送信機Ｓは、全てのデータパケットPDU4からPDU7がエラーなしに受信機Ｅ１に到達したことと、データパケットPDU0がエラーを備えて到達し、もう一度送信されるべきことを仮定する。従って、まずその後の時間スロット０でもう一度PDU0を送信し、その後の時間スロット８、９、１０で新しいデータパケットPDU8からPDU10を受信機Ｅ１に送信する。
【００４３】
PDU0の最初の送信が連続番号０であるため、データパケットPDU0の繰り返し送信は、連続番号０で行われる。
【００４４】
データパケットPDU8からPDU10は最初に送信される新しいデータパケットであるため、送信機Ｓは、データパケットと共に送信される連続番号を変更する。以前の送信期間においてPDU4からPDU7が連続番号１で送信されたため、データパケットPDU8からPDI10は連続番号０で受信機Ｅ１に送信される。
【００４５】
PDU5から7の肯定応答メッセージＡが誤って解釈される偶然性、又は前記肯定応答メッセージの送信時に送信エラーが発生する偶然性のため、送信機Ｓは更なる送信期間のためにデータパケットPDU5からPDU7を保存する。従って、次の送信期間に受信機Ｅ１から繰り返しメッセージを受信すると、前記PDU5から7の繰り返し送信を実行可能である。
【００４６】
送信機Ｓと受信機Ｅ１との間のデータ送信は、その後も同様に周期的に続けられる。
【００４７】
図２は送信機Ｓと受信機Ｅ１との間のデータ送信の時間系列を図式的に示したものである。そのデータ送信は、図１のデータ送信に大体において一致するため、図２は、送信機Ｓと受信機Ｅ１との間の送信のために予約された時間フレームの各最初の時間スロット０、４、０、４のデータ送信のみを示している。図１のデータ送信の図との違いが以下に明らかにされる。図２のデータ送信において、受信機Ｅ１によって予期されないデータパケットPDU4の最初の送信時にエラーが発生する、すなわち、受信機Ｅ１がエラーのあるデータパケットPDU4を受信する。従って、受信機Ｅ１は誤って受信されたデータパケットPDU4に対して繰り返しメッセージＲＮを送信し、以前のデータパケットPDU0の繰り返し送信を要求することと、データパケットPDU4がエラーを備えて受信され、それ故にデータパケットPDU4の繰り返し送信もまた要求することとを送信機に通知する。
【００４８】
その結果、データパケットPDU0の繰り返し送信が次の送信期間に行われ、その後の送信期間にデータパケットPDU4の繰り返し送信が行われる。
【００４９】
前述のエラー除去手順は、アップリンクで送信される４つのコマンド、肯定応答又は否定応答又は逆肯定応答又は逆否定応答が、実際の状況で前記コマンドが送信される頻度を考慮に入れたエラー保護を備える場合に、HS-DSCHのスループットの実質的な改善を導く。その理由は、より高度のエラー保護は常に送信されるデータ量の増加（追加の冗長度）を含むからである。従って、頻繁に送信されるコマンド（肯定応答と否定応答）が更に低い冗長度を備えて送信され、その結果、稀にしか送信されないコマンド（逆コマンドと逆否定応答）より低いエラー保護になる。その理由は、後者はエラー除去の状況にのみ必要であるからである。肯定応答と否定応答の送信を保護するために必要な冗長度が、一方では肯定応答を否定応答として又は否定応答を肯定応答として誤って解釈することが好ましくないチャネル状況においても稀にしか発生せず（例えば全ての場合について１％）、他方では送信される冗長度が非常に好ましくないほどではないチャネル状況において必要とされるものより実質的に高くないということが認められるということについて、スループットの最適化が実現され、それ故に不要に高度に送信することから生じるアップリンクの干渉を上げないようにする。好ましくないチャネル状況が短い間生じた場合には、それにもかかわらず誤った解釈を導き、エラー除去手順が介入し、継続する好ましくないチャネル状況にもかかわらず、更なる冗長度の理由から逆コマンドを誤って解釈しない。
【００５０】
更に、逆コマンドと逆否定応答の拡張エラー保護は、逆コマンドを逆否定応答として、またその逆も同様に、又は逆コマンドを肯定応答／否定応答として、又は逆否定応答を肯定応答／否定応答として誤って解釈することが非常に低い残りの可能性でのみ生じるという事実を考慮に入れる。その理由は、そうでない場合はエラー除去手順の実現が、前記手順がなければ存在しない新しいエラーの状況を導くからである。
【００５１】
現在、3GPPのTSG-RAN-WG1とWG2において、移動局がデータブロックをうまくデコードできたか否かに応じて、移動局に関連付けられたアップリンクDPCCH-2（拡散因子256）のHS-DSCHを介してDLに送信される各データブロック（その継続時間が固定され、送信時間間隔TTIを示す）について、肯定応答又は否定応答が送信されることが議論されている。前記データブロックのTTIは、現在有力な観点によると通常３つ以上のスロットに広がる（１つの無線フレームは１５スロット有する）。３スロット毎にアップリンクで行われる肯定応答は、利用可能な１０（繰り返し）コードのビットを有する、すなわち、肯定応答が無線インタフェースを介して値１の１０（繰り返しコードの）ビットにより送信され、否定応答が値−１の１０（繰り返しコードの）ビットで送信される。前記１０コードのビットは更に拡散される。このことはチャネル状況に応じて１％の桁のエラーの解釈の可能性を導く。DPCCH-2の更なるビットが他の目的、例えばチャネルの品質レベルを特徴付ける測定値の送信に使われる。
【００５２】
DPCCH-2の拡散因子は固定される、すなわち、１つの無線フレームから次に、又は１つのTTI又は１つのスロットから次に動的に変更され得ない。従って、（データ品質を２倍にする可能性を有する）明らかに改善されたエラー訂正コードの逆コマンドが、TTIにおいて否定応答を肯定応答として誤って解釈することの発生（肯定応答を否定応答として解釈することはそれほど重要とみなされないが、これは最も好ましくない状況である）に関わらず送信され、逆コマンド（逆コマンド又は逆否定応答）の１つが送信されなければならないように、DPCCH-2の拡散因子を減らす（例えば半分にする）ことは不可能である。
【００５３】
［チャネル拡散を利用したエラー訂正の向上］
基地局で否定応答が肯定応答として誤って解釈される稀な場合において、逆コマンドを送信することによるエラー訂正における向上を達するために、移動局は追加の以前に規定した拡散コード（拡散因子、例えばこの場合も２５６）に切り替え、前記追加の冗長度がアップリンクで平行して送信され得る（その他、データ受信の始まりから拡散コードがHS-DSCHを介して割り当てられるが、追加の冗長度は必要な場合にのみ送信される）。例えば、DPCCH-2の逆コマンドの場合と（この場合に使われるビットの連続番号は変更されない）、DPCCH-2の肯定応答と共に逆コマンドを表す追加の拡散コードでの明らかに改善されたエラー訂正コードのビットの連続番号の場合に、移動局は肯定応答を送信し得る。逆否定応答コマンドの場合、移動局はDPCCH-2の否定応答と、更に追加の拡散コードでの明らかに改善されたエラー訂正コードのビットの連続番号とを更に送信し、DPCCH-2の否定応答と共に逆否定応答を表す。基地局は、どのコマンドがDPCCH-2と追加で供給された拡散コードで受信されたデータの適切な組み合わせから送信されたかを判断する。
【００５４】
移動局に適用し得る拡散コードに基づいて、基地局は、DPCCH-2の拡散コードと追加の拡散コードとの双方を同時に収集し、肯定応答／否定応答又は１つの逆コマンドが存在するかどうか認識しなければならない。しかし、これは非常に複雑な追加の手順である。追加の拡散因子のデータのコード化の詳細はここでは更に検討されない。
【００５５】
更なるの追加は、（全ての移動局が現在のコード階層を共有しなければならないダウンリンクとは異なり）UMTSアップリンクでは重要な問題ではない。前記拡散コードの追加は、わずかに高度な要求が移動局の増幅装置の線形性に課されなければならないという結果を単に有する。
【００５６】
［エラー除去手順のないAQRプロトコルへの技術の適用］
前述のエラー除去手段がない場合は、その技術はまた、否定応答の送信のみにも適用され得る。移動局が否定応答を送信しなければならないときは常に、特に交換される更なる拡散コードで追加の冗長度を備えた前記コマンドを送信する。このことは、否定応答を肯定応答として誤って解釈する頻度を非常に減らし、否定応答を肯定応答として誤って解釈するエラー状況をめったに生じることなく、エラー除去手順がもはや不要になる。しかし、否定応答が比較的頻繁に送信されなければならないことが予期され、何らかの誤った解釈を回避する目的で、好ましくないチャネル状況の場合に、追加で送信される冗長度が全く必要ないことが予期されることは本解決策の不利な点である。しかし前記状況のもとで、必要以上の干渉がアップリンクで発生する。このように検出の判断の信頼性の向上を達するために否定応答の送信能力を単に増すことが、この場合はおそらく更に好ましい。
【図面の簡単な説明】
【００５７】
【図１】送信機と受信機の間の第１のデータ送信の時間系列を図式的に示したものである。
【図２】送信機と受信機の間の第２のデータ送信の時間系列を図式的に示したものである。
【国際公開パンフレット】
2004535136.tif 000003
2004535136.tif 000004
2004535136.tif 000005
2004535136.tif 000006
2004535136.tif 000007
2004535136.tif 000008
2004535136.tif 000009
2004535136.tif 000010
2004535136.tif 000011
2004535136.tif 000012
2004535136.tif 000013
2004535136.tif 000014
2004535136.tif 000015
2004535136.tif 000016
2004535136.tif 000017
2004535136.tif 000018
2004535136.tif 000019
【国際公開パンフレット（コレクトバージョン）】
2004535136.tif 000020
【国際調査報告】
2004535136.tif 000021
2004535136.tif 000022
2004535136.tif 000023
2004535136.tif 000024
2004535136.tif 000025